(57)【要約】【課題】薬の飲み忘れ防止を、労力を省き且つ薬と服薬説明書の分離分断無しに行うこと。【解決手段】「曜」「朝」「昼」「晩」の表示のある開口部を有する箱の内部に７角柱の回転体を入れて回転可能とする。回転体には朝昼晩の各表示の許に夫々受け皿があり、薬の廃棄包装材を、服薬時期として該当する表示の許の受け皿に投入すれば、受け皿内の廃棄包装材の有無により服薬の事実が確認されて重複服薬と飲み忘れが防止できる。  なお回転体には曜日の表示があり、回転体を回せば開口部に曜日が表示され、同時に廃棄包装材が投棄される。【選択図】図１
2010220991.tif 000002
【特許請求の範囲】
【請求項１】
箱の１つの面に開口部を設け、箱の内部にはその開口部に合わせて受け皿が設置されており、その受け皿は自在に角度を変えることが可能であり、その受け皿に投入された薬の使用済み廃棄包装材は、受け皿が回転等の方法で角度を変更されることによって箱の底部へ投棄される構造となっており、且つその受け皿が開口部に対応する場所の箱の表には薬を飲む時期が表示されていることを特徴とする薬の包装材廃棄箱。
【請求項２】
連結された複数の箱、又は単数の箱に薬を飲む時期が表示されており、投薬の包装に使用されその用途を終えた廃棄包装材を、箱の服薬時期の表示のうち廃棄包装材が使用されていた薬の投薬時期と合致する箱へ投入し、その廃棄包装材の存在を外部から確認できる構造となっていることを特徴とする薬の包装材廃棄箱。
【請求項３】
薬の包装材廃棄箱に付属して設置されたレール状の移動基盤があり、その移動基盤に絡んで自在に移動することの出来る可動片が設置され、その可動片が曜日その他のメモを示す構造の薬包装材廃棄箱補助具。
【発明の詳細な説明】
【技術分野】
【０００１】  この発明は、定められた時期に服薬することを指示して処方された薬に使われていた包装材を廃棄するに際し、その廃棄包装材を廃棄箱（１）に投入し、且つその廃棄箱（１）を透明な材質で作って箱の中の廃棄包装材の有無を外部から容易に確認出来るようにし、薬の飲み忘れや重複服薬の防止に資することを目的とする、薬の包装材廃棄箱に関するものである。
【背景技術】
【０００２】  薬の飲み忘れや、重複して服薬することの防止に関する発明や考案は数多く存在する。（例えば特許文献１、同２各参照）【０００３】
【特許文献１】  特公開２００４−４８９号公報
【特許文献２】  特公開２００４−９９１１８号公報
【発明の開示】
【発明が解決しようとする課題】
【０００４】  従前から存在する飲み忘れ等防止器具は、服薬に際して発信音を発するとか、自動的に記録する等の複雑で高価な装置か、或いは、薬そのものを定められた容器等に移して配置し直し、それが飲まれているか否かを確認するものが多く、その場合、薬の配置替えをするには薬の包装を分断して配置し直すことが必要であった。【０００５】  後者の場合は、その作業に手間がかかるだけでなく、折角、まとめて処方投薬されて説明されている薬なのに薬と投薬説明書を分離するために飲み方が判り難くなったり、服薬時期に分けて薬を配置する目的で包装を分断するために見違いや取り違えを起こす原因となることもある状態であった。【０００６】  本発明は、投薬が各種の薬ごとに種々の包装材で丁寧に包装されており、服薬する者は包装材を破って薬を飲み、飲み終わると包装材は廃棄されるという経過が存在することに着目し、廃棄された包装材を一定の透明な場所に集め、廃棄包装材の有無を監視することによって服薬の事実を確認しようとするものである。
【課題を解決するための手段】
【０００７】  図１乃至４に示すとおり、上部に長方形の開口部を有する廃棄箱（１）の内部には、側面に受け皿（２）を有する図２に示すとおりの７角柱の回転体が設置されていて、その回転体は心棒（３）を中心としてハンドル（４）により回転させることが出来る構造となっている。
廃棄箱（１）の側部には、取っ手（５）により開閉できる廃棄包装材取り出し口がある。
廃棄箱（１）には、その上部の開口部に接して「曜」「朝」「昼」「晩」の文字が書かれてあり、その開口部に接して回る図２に示す回転体の側面には、「朝」「昼」「晩」の各文字に対応した箇所には各受け皿（２）が有り、７角柱である回転体の「曜」の文字に対応した箇所には、７つの面にそれぞれ日、月、火、水、木、金、土の文字が記されている。【０００８】  飲む時期を指定して投薬された薬を飲んだとき、その薬の使用済みの廃棄包装材を、廃棄箱（１）に薬を飲む時期として表示されている場所の受け皿（２）内に必ず投入するというルールを定めておき、１日に１回だけ回転体を回転させて翌日の曜日に合わせて表示すれば、次々と受け皿（２）が現われてくるので、受け皿（２）に投入された廃棄包装材の有無を見てその日の服薬状況を確認することが出来る。
なお、回転体の回転により受け皿（２）が回転し、その中に投入されている廃棄包装材は廃棄箱（１）の底に投棄されるので、時々取っ手（５）を持って取り出し口の蓋を開け、中に溜まった廃棄包装材を捨てなければならない。【０００９】  簡単な装置で服薬の確認をしたい者は、図５に示すとおり「朝」「昼」「晩」と記された３つの箱を持つ３連結箱（６）を利用することが出来る。
その使用方法は、図５に示す３連結箱（６）のうち服薬時期の表示に対応する箱の中に使用済みの薬の廃棄包装材を投入し、投入した廃棄包装材は１日に１回必ず捨てるというルールを定めておいて、使用済み廃棄包装材の有無により服薬の事実を確認する。
その場合、毎日捨てることを忘れないように、図５に示すとおり３連結箱（６）の側面にレールに沿って移動し曜日を示す可動片（７）を設置した。
それは、使用済み廃棄包装材を捨てたときに必ず可動片（７）を動かすというルールを定めておいて曜日を確認し、必ず１日に１回捨てることをフォローするためである。【００１０】  １日に１回の服薬をする者は、図６及び図７に示すカバーを３連結箱（６）の上に引っ掛けて使用し、カバーにより指定された場所に使用済み廃棄包装材を投入してその有無により服薬を確認する。
１日１回の服薬者が、カバーを使用することなく専用の用具を使いたいときには、図８に示すとおりの７連結箱（８）を使い、服薬時期として表示された場所に廃棄包装材を投入し、その存在を確認して服薬の管理をすれば、１週間の管理が可能である。
【発明の効果】
【００１１】  現状を見ると、継続して薬を飲んでいる者は老齢者である場合が多く、服薬自体が単純な行為である上に食事等に付随して飲むことが多いという事実関係もあって薄い記憶しか残らないためか、気に掛かるのが老人の「今日飲んだかな」という言葉であり、老齢化社会を迎えての介護にも影響を与えている。
そこで、種々の器具が考案されているが、それには、高価であるか、或いは予めの服用説明書や薬剤の分離に労力を要する上に散逸を生ずるという欠点があった。
本発明によれば、薬と説明書の保管には手を付けず、廃棄包装材の捨て場所を一定化して、図１の場合は１日１回ハンドル（４）を回す、図２の場合は１日１回廃棄包装材を捨てるというルールを定めて実行するだけで、本人ばかりでなく家族や介護者全員の目の届く状況の許で服薬状況の監視・管理をすることができる。
【発明を実施するための最良の形態】
【００１２】  廃棄包装材が本発明にかかる廃棄箱（１）内に投入されているか否かを一見して判るためには、本発明品が透明な材質で作成されることが必要であり、デザインも机や棚の上に違和感無しに置けるような安定感のあるもの、或いは面白グッズにして、色々な人の目に触れるようにすることが必要である。【００１３】  稀にではあるが包装されていない薬剤があり、その場合には、廃棄包装材に代わる目印を作成用意して、それを包装材の代わりに受け皿（２）或いは連結箱内に投入するというルールを定めて本発明品を使用する必要がある。
【実施例】
【００１４】  介護施設や病院等、薬を飲む者を見守る複数の介護者がいて、交代等の事情がある場合には、共通のルールさえ定めておけば、本発明品は引継ぎの役目を果たしてくれる。
そのルール作り如何によりこの発明品の効果が左右されるが、殊に図１の場合のハンドル（４）を何時、誰が回すか、図５乃至８の器具を使用する場合には、箱の中に入っている使用済み包装材を何時、誰が捨てるか、についてのルール作りは慎重かつ確実にしなければならない。【００１５】  図１の場合にハンドル（４）を回すに際し、回し方の調整に技術を要するので誰でも簡単に回せるよう、３６０分の７度の角度で止まるスプリングとカムを心棒（３）に設置してその角度で止まるように設計するのは望ましいが、本発明においてはコストを抑えるために採用しなかった。
【図面の簡単な説明】
【００１５】
【図１】  本発明の包装材廃棄箱の斜視図
【図２】  包装材廃棄箱内部に装着された７角柱回転体の斜視図
【図３】  包装材廃棄箱の正面図
【図４】  図３にＡ−Ｂで示す場所の断面図
【図５】  ３連結箱の斜視図
【図６】  ３連結箱に被せるカバー１の斜視図
【図７】  ３連結箱に被せるカバー２の斜視図
【図８】  ７連結箱の斜視図
【符号の説明】
【００１８】      １  廃棄箱
２  受け皿
３  心棒
４  ハンドル
５  取っ手
６  ３連結箱
７  曜日を示す可動片
８  ７連結箱
【図１】
2010220991.tif 000003
【図２】
2010220991.tif 000004
【図３】
2010220991.tif 000005
【図４】
2010220991.tif 000006
【図５】
2010220991.tif 000007
【図６】
2010220991.tif 000008
【図７】
2010220991.tif 000009
【図８】
2010220991.tif 000010